(57)【要約】【課題】逐次切り替えられる情報についての個々の情報の表示時間を算出して入力する必要のないエレベータの情報表示システムを提供する。【解決手段】かご室内７またはホール８の表示器９ａ、９ｂに、１個のメッセージの表示時間に合わせて、複数の画像を逐次切り替えて表示する場合に、ユーザーが表示情報入力装置２から、イベントデータや表示したいメッセージ、画像などの表示のためのデータを入力する。このようなデータが入力されたとき、表示情報入力装置２内の画像メッセージ同期時間算出部で、切替表示される複数の画像についての１枚あたりの画像の表示時間が自動的に算出される。これにより、ユーザーは、１枚あたりの画像の表示時間を算出して入力する必要がない。【選択図】　図１
2004107036.tif 000002
【特許請求の範囲】
【請求項１】
エレベータまたはその周辺の所定箇所に設けられ、２つの種類の情報を表示し、かつ少なくとも一方の種類の情報については、複数の情報を逐次切り替えて表示する表示手段と、この表示手段により表示される２つの種類の情報を表示するためのデータを入力するための入力手段と、この入力手段により表示のためのデータが入力されたとき、複数の情報が逐次切り替えられる一方の種類の情報についての個々の情報の表示時間を、他方の種類の情報の表示時間から算出する算出手段とを備えたことを特徴とするエレベータの情報表示システム。
【請求項２】
請求項１に記載のエレベータの情報表示システムにおいて、前記入力手段から、複数の情報が逐次切り替えられる一方の種類の情報について、表示する情報の数を変更するためのデータが入力されたとき、前記算出手段は、再度、前記一方の種類の情報についての個々の情報の表示時間を算出することを特徴とするエレベータの情報表示システム。
【請求項３】
請求項１に記載のエレベータの情報表示システムにおいて、前記入力手段により表示のためのデータが入力されたとき、前記他方の種類の表示時間に対応する一方の種類の情報についての切替表示可能な情報の数を報知する報知手段を備えたことを特徴とするエレベータの情報表示システム。
【請求項４】
請求項１に記載のエレベータの情報表示システムにおいて、前記入力手段により表示のためのデータが入力されたとき、前記一方の種類の情報についての個々の情報の表示時間の算出結果が表示速度にそぐわない場合に、このことを報知する報知手段を備えたことを特徴とするエレベータの情報表示システム。
【発明の詳細な説明】
【０００１】
【発明の属する技術分野】
本発明は、エレベータ及びその周辺に情報を表示する情報表示システムに関する。
【０００２】
【従来の技術】
従来のエレベータの情報表示システムにおいては、エレベータのかご室内やホールに表示する情報をユーザーが設定する際、１個のメッセージの表示時間に合わせて複数の画像を表示したい時に、メッセージの表示時間設定と個々の画像の表示時間設定は、図８に示す如くメッセージの表示時間８１ａと個々の画像の表示時間８２ａ、８２ｂ、８２ｃの合計時間とが一致するように行なわなければならないため、時間をユーザーが計算する必要があった。表示する画像を追加した時も、以前設定していた画像の表示時間を一つ一つユーザーが変更しなければならなかった。ユーザーが個々の時間算出を行なうと算出の間違いが生じる場合があった。特に１個のメッセージ表示時間と複数の画像表示時間の合計時間とが同じ時間にならない場合があった。
【０００３】
【発明が解決しようとする課題】
上述のように、従来の技術では、ユーザーが設定する１個のメッセージに対して、複数の画像を設定する場合に、そのメッセージ表示時間と複数の画像表示時間の合計時間とを合わせる必要がある。メッセージ時間に対し、個々の画像表示時間をユーザー側で一つ一つ時間算出する必要があり、その算出が自動化されていない課題があった。
【０００４】
上記従来の技術により、ユーザーが算出を行なう場合、ヒューマンエラーが生じる恐れがあり、メッセージと複数の画面の表示終了時間が一致しない問題があった。
【０００５】
また、設定終了後、画像を追加及び消去した場合に、再び個々の画像の表示時間をユーザー側で算出しなければならない課題があった。
【０００６】
本発明は、従来のこのような点に鑑みて為されたもので、逐次切り替えられる情報についての個々の情報の表示時間を算出して入力する必要のないエレベータの情報表示システムを提供することを目的とする。
【０００７】
【課題を解決するための手段】
本発明に係るエレベータの情報表示システムは、エレベータまたはその周辺の所定箇所に設けられ、２つの種類の情報を表示し、かつ少なくとも一方の種類の情報については、複数の情報を逐次切り替えて表示する表示手段と、この表示手段により表示される２つの種類の情報を表示するためのデータを入力するための入力手段と、この入力手段により表示のためのデータが入力されたとき、複数の情報が逐次切り替えられる一方の種類の情報についての個々の情報の表示時間を、他方の種類の情報の表示時間から算出する算出手段とを備えたことを特徴とする。
【０００８】
このような構成の本発明によれば、２つの種類の情報（例えばメッセージと画像）を表示し、かつ少なくとも一方の種類の情報（例えば画像）については、複数の情報を逐次切り替えて表示する場合に、複数の情報が逐次切り替えられる一方の種類の情報（例えば画像）についての個々の情報の表示時間を、他方の種類の情報（例えばメッセージ）の表示時間に応じて自動的に算出し調整するので、ユーザーが表示のためのデータを入力するとき、ユーザーは、逐次切り替えられる一方の種類の情報（例えば画像）についての個々の情報の表示時間を算出して入力する必要がない。従って、ヒューマンエラーが生じる恐れがない。
【０００９】
ここで、入力手段から、逐次切り替えられる一方の種類の情報について、表示する情報の数を変更するためのデータが入力されたとき、算出手段が、再度、一方の種類の情報についての個々の情報の表示時間を算出するような構成とすることもできる。
【００１０】
このような構成とすることにより、ユーザーが表示のためのデータの入力終了後、切替表示する情報を追加及び消去した場合でも、個々の情報の表示時間をユーザー側で算出し直す必要がない。
【００１１】
また、入力手段により表示のためのデータが入力されたとき、他方の種類の表示時間に対応する一方の種類の情報についての切替表示可能な情報の数を報知する報知手段を備えたものとすることもできる。
【００１２】
このような構成とすることにより、報知された切替表示可能な情報の数を参照しながら、ユーザーはデータの入力またはその変更を行なうことができる。
【００１３】
さらに、入力手段により表示のためのデータが入力されたとき、一方の種類の情報についての個々の情報の表示時間の算出結果が表示速度にそぐわない場合に、このことを報知する報知手段を備えたものとすることもできる。
【００１４】
このような構成とすることにより、入力した表示のためのデータでは、切替表示を行なう情報についての個々の情報の表示時間の算出結果が表示速度にそぐわないこと、すなわち切替表示を行なう情報の数が適切でないことがユーザーに報知され、ユーザーはこの情報の数が適切となるように修正することができる。
【００１５】
【発明の実施の形態】
以下、図面を参照して本発明の実施形態について詳細に説明する。なお、以下の図において、同符号は同一部分または対応部分を示す。
【００１６】
図１に、本発明の一実施形態に係るエレベータの情報表示システムの概略構成を示す。
【００１７】
同図において、１はビル設備を監視する監視室、２は表示器に情報を表示するためにユーザーが使用する表示情報入力装置であり、通常、パソコンが用いられる。３は表示情報入力装置２から表示するためのデータを伝送するデータ伝送線であり、例えばＬＡＮで構成されている。４はエレベータの機械室である。５ａ、５ｂは情報表示装置であり、表示するためのデータをＮＴＳＣやＲＧＢなどのデータに変換する装置である。６ａ、６ｂは表示器にデータを送る映像線、７はエレベータのかご室内、８はエレベータのホール、９ａ、９ｂは情報を表示する表示器であり、ＣＲＴやＬＣＤ、プラズマビジョン等を用いる。
【００１８】
図２に、表示情報入力装置の構成を示す。
【００１９】
同図において、１０はユーザーが設定入力するイベント設定入力部、１１はイベント設定入力部１０のデータを蓄積するイベントファイル部である。１２はユーザーが表示器９ａ、９ｂに表示したいメッセージを設定入力するメッセージ入力部、１３はメッセージ入力部１２のデータを蓄積するメッセージファイル部である。１４はユーザーが表示器９ａ、９ｂに表示したい画像を入力する画像入力部であり、予め用意した画像データを画像入力部１４で入力する。１５はその入力した画像データを蓄積する画像ファイル部である。
【００２０】
また、１６はイベントのデータで選ばれたメッセージを取得するメッセージ取得部、１７はイベントのデータで選ばれた画像を取得する画像取得部、１８はイベントのデータで選ばれた各々のデータを取りまとめる表示データ確保部である。１９はイベントのデータ内に書かれているメッセージ表示時間から画像表示時間を算出する画像メッセージ同期時間算出部、２０は各々のデータを情報表示装置に配送する送信処理部である。
【００２１】
図３に、情報表示装置の構成を示す。
【００２２】
同図において、２１は表示情報入力装置２から配送するデータを受信する受信部、２２は受信部２１で得たデータの中からイベントのデータを抽出するイベントファイル部、２３は受信部２１で得たデータの中からメッセージのデータを抽出するメッセージファイル部、２４は受信部２１で得たデータの中から画像のデータを抽出する画像ファイル部である。
【００２３】
また、２５は日時を刻む時計部、２６はイベントのデータ中にある日時のデータを時計部２５の日時と比較するイベント発生処理部、２７はイベントファイル部２３のデータと画像ファイル部２４のデータを取り出し、表示器９ａ、９ｂに表示する画面を作成する表示画面加工処理部、２８は表示画面加工処理部２７のデータを出力する表示器信号出力部である。
【００２４】
図４に、表示器の画面構成例を示す。
【００２５】
同図において、２９は表示器９ａ、９ｂの画面の画像表示部、３０は画面、３１はメッセージである。
【００２６】
図５に、イベントデータのフォーマット及びその例（イベントａ１）を示す。
【００２７】
同図において、３２はイベントファイル２２に格納しているイベントａ１データである。
【００２８】
また、同図に示されたイベントデータフォーマットにおいて、３３はイベントデータの表示日時、３４はメッセージファイル番号、３５はメッセージ表示時間、３６はメッセージ表示アクション、３７は画像表示時間、３８は画像ファイル名（１）、３９は画像ファイル名（２）、４０は画像ファイル名（３）である。そして、４１はイベントａ１データ３２の中にある画像表示時間［２０秒］である。
【００２９】
図６に、メッセージｂ１、及び画像ファイルすなわち画像ｃ２、ｃ３、ｃ４の内容を示す。
【００３０】
同図において、４２はメッセージｂ１データ、４３はメッセージｂ１データ４２の内容を示したメッセージｂ１内容、４４は画像ｃ２データ、４５は画像ｃ２データ４４の内容を示した画像ｃ２内容、４６は画像ｃ３データ、４７は画像ｃ３データ４６の内容を示した画像ｃ３内容、４８は画像ｃ３データ、４９は画像ｃ４データ４８の内容を示した画像ｃ４内容である。
【００３１】
図７に、画面表示切り替えを示す。
【００３２】
同図において、５０は表示器９ａ、９ｂに表示する画面１枚目、５１は表示器９ａ、９ｂに表示する画面２枚目、５２は表示器９ａ、９ｂに表示する画面３枚目である。
【００３３】
次に、この実施形態の動作について説明する。
【００３４】
図１に示すように、監視室１に表示情報入力装置２が設置されており、ユーザーが利用できるようになっている。ユーザーは、かご室内７やホール８に設置してある表示器９ａ、９ｂに情報を表示する手段として用いる表示情報入力装置２からその情報を入力する。表示情報入力装置２の内部で処理された、表示するためのデータをデータ伝送線３で伝送する。伝送にはＬＡＮを用いるため、伝送先としては、情報表示装置５ａ、５ｂの両者か、又は単体かを選択することができる。
【００３５】
情報表示装置５ａ、５ｂは機械室４に設置してある。情報表示装置５ａ、５ｂの内部処理により表示画面が生成され、映像線６ａ、６ｂにより例えばＮＴＳＣの映像信号を表示器９ａ、９ｂに送る。その映像信号を受信した表示器９ａ、９ｂは情報を各々の場所に表示する。それにより、第三者が使用するエレベータ及びその周辺に情報を提供することができる。
【００３６】
図２を参照して、表示情報入力装置の動作について説明する。
【００３７】
ユーザーが表示情報入力装置２を利用してメッセージや画像を設定する。表示する時期や表示情報を示す前に、表示したいメッセージをメッセージ入力部１２にて入力する。その入力したメッセージはメッセージファイル部１３に蓄積される。
【００３８】
次に、メッセージに対して表示したい複数の画面を画面入力部１４にて、画像を入力する。その入力の形式はＪＰＥＧやビットマップ形式で行なう。この画像のデータは画像ファイル部１５に蓄積する。
【００３９】
そして、表示時間の設定や表示メッセージ及び画面の選択は、イベント設定入力部１０で行なう。メッセージの選択は、メッセージファイル部１３の中から選択する。画像の選択は画像ファイル部１５から選択する。画像の選択は複数行なうことが可能である。選択や各々の設定が終了するとイベントファイル部１１に格納される。
【００４０】
新規入力の場合は、イベントの情報がイベント取得部１６に送られ、イベントファイルに書かれているメッセージファイルを取得する。次に、画像取得部１７に送られ、イベントファイルに書かれている複数の画像ファイルを取得する。表示データ確保部１８で各々回収したファイルデータがあるか確認する。確認後、画像メッセージ同期時間算出部１９に送られ、イベントファイルに書かれているメッセージ表示時間と画像ファイルの数から個々の画像表示の時間を算出する。算出した画像表示時間をイベントファイルに書きこむ。
【００４１】
上記処理が終了し、送信処理部２０からＬＡＮ経由で情報表示装置５ａ、５ｂにデータを送る。
【００４２】
画像追加及び削除のイベント設定の変更を行なう場合、イベントファイルが変更され、上記の新規と同じ手順に添って送信処理部２０から出力する。その際、画像メッセージ同期時間算出部１９の時間算出も再度行なわれる。
【００４３】
次に、図３を参照して、情報表示装置の動作について説明する。
【００４４】
表示情報入力装置２から出力したデータを、情報表示装置５ａ、５ｂの受信部２１で受信する。受信部２１が受信したデータをイベントファイル部２２、メッセージファイル部２３、画像ファイル部２４に送る。各々のデータが同じファイルである場合、そのファイルを更新する。
【００４５】
イベント発生処理部２６では、イベントファイル部２２のイベントファイルに書かれている表示日時を常時確認している。現在時刻は時計部２５で得る。表示時刻と現在時刻が同じになった時に、表示画面加工処理部２７の作業に移る。
【００４６】
表示画面加工処理部２７では、イベントファイルに書かれているメッセージファイルや画像ファイルを取り出し、表示器９ａ、９ｂに表示する画面を加工する。その加工データを表示器信号出力２８にて表示器９ａ、９ｂに出力する。
【００４７】
情報表示装置５ａ、５ｂから送られた信号を表示器９ａ、９ｂに入力すると、画面３０に画像２９とメッセージ３１が出力され表示される。例えば、図４に示すように表示される。
【００４８】
ここで、図５を参照して、イベントデータのフォーマット及びその例について説明する。
【００４９】
表示情報入力装置２のイベント設定入力部１０で入力するデータは、表示日時３３、メッセージファイル番号３４、メッセージ表示時間３５、メッセージ表示アクション３６、画像ファイル名（１）３８、画像ファイル名（２）３９、画像ファイル名（３）４０である。
【００５０】
ちなみに、イベントａ１データ３２を例とすると、そのデータとして、表示日時３３は“０１０９２０　０６３０”、“０１０９２１　１７３０”であり、この意味は２００１年９月２０日６：３０に表示を開始するということと、２００１年９月２１日１７：３０に表示を終了するということを示す。
【００５１】
メッセージファイル番号３４は、“ｂ１”が格納してあり、メッセージｂ１を意味する。メッセージ表示時間３５は“６０”が格納してあり、メッセージ表示時間６０秒の意味をもつ。メッセージ表示アクション３６は、“スクロール（横）”が格納してあり、メッセージのデータの登場するアクションとして横方向にスクロールすることを意味する。
【００５２】
画像ファイル名（１）３８は“ｃ２”が格納してあり、画像ファイルｃ２を意味する。画像ファイル名（２）３９は“ｃ３”が格納してあり、画像ファイルｃ３を意味する。画像ファイル名（３）４０は“ｃ４”が格納してあり、画像ファイルｃ４を意味する。
【００５３】
このイベントａ１データの場合、画像メッセージ同期時間算出部１９では、メッセージ表示時間３５“６０”を抽出し、その時間を画像ファイル数で除算する。画像ファイルはファイルの数を数えておく。例では、画像ファイル数が３枚、６０秒のメッセージ表示時間であるため、１枚あたりの画像を表示する時間は６０秒／３枚＝２０秒となる。“２０”というデータを画像表示時間３７に記憶することになる。このように、画像メッセージ同期時間算出部１９で１枚あたりの画像を表示する時間が自動的に算出されるので、ユーザーは、１枚あたりの画像を表示する時間を算出して入力する必要がない。従って、ヒューマンエラーが生じる恐れがない。
【００５４】
また、ユーザーがメッセージ表示時間３５を設定した時に、時間に応じた切替表示可能な画像の枚数をユーザーに通知する。例えば、表示速度を考慮して、１枚あたりの画像を表示する時間が少なくとも５秒必要であるとすると、画像メッセージ同期時間算出部１９において６０秒／５秒＝１２枚を切替表示可能な画像の枚数として算出し、これを表示情報入力装置２に設けられた図示しない表示器で表示することによりユーザーに通知する。ユーザーは、この通知された切替表示可能な情報の数を参照しながら、イベント設定またはその変更を行なうことができる。
【００５５】
また、表示速度を考慮して、画像表示時間３７が著しく短く（例えば５秒未満）、表示時間としてそぐわない場合、ユーザーに設定を再度行なうように通知する。通知を受けたユーザーは、画像削除を行なって画像の枚数を適切な数に修正することができる。
【００５６】
更に、ユーザーが画像追加及び削除のイベント設定の変更を行なった場合、画像メッセージ同期時間算出部１９では、再度メッセージ表示時間３５を算出する。例えば、上述の画像ファイル数が３枚、６０秒のメッセージ表示時間の場合に対して画像ファイルを１枚追加するイベント設定の変更を行なった場合は、画像メッセージ同期時間算出部１９では、画像ファイル数を４枚とし、個々の画像表示時間を自動的に、６０秒／４枚＝１５秒として算出し、“１５”というデータを画像表示時間３７に記憶する。また、画像ファイルを１枚削除するイベント設定の変更を行なった場合は、画像ファイル数を２枚とし、個々の画像表示時間を自動的に、６０秒／２枚＝３０秒として算出し、“３０”というデータを画像表示時間３７に記憶する。このように、ユーザーが画像追加及び削除のイベント設定の変更を行なった場合、画像メッセージ同期時間算出部１９で個々の画像表示時間を自動的に算出し直すので、個々の画像表示時間をユーザー側で算出し直し入力する必要がない。
【００５７】
図６に、メッセージｂ１、画像ｃ２、ｃ３、ｃ４の内容を示す。
【００５８】
表示情報入力装置２のメッセージ入力部１１でメッセージを入力する時、メッセージファイル番号が発行される。例えば、メッセージｂ１データ４２の様に“ｂ１”が発行されて、メッセージの識別に使用する。例えば、ユーザーが入力した内容をメッセージｂ１内容４３のようにする。
【００５９】
画像ファイル部１７では、ユーザーが入力した画像ｃ２、ｃ３、ｃ４が蓄積されている。例えば、画像ｃ２内容４３、画像ｃ３内容４４、画像ｃ４内容４５となる。
【００６０】
図７に、画面表示切り替えを示す。
【００６１】
イベントａ１データ３２で、イベントが発生した時の画面である。メッセージ表示時間６０秒に対し、各々の画像が２０秒毎に切り替わる。メッセージｂ１内容４３はスクロールしながら表示をする。この表示の切り替えは、終了時間になるまで、繰り返し表示する。終了時間になると表示を停止し、表示画面を消去し、待ち受け画面に切り替える。
【００６２】
なお、上述の例では、メッセージの表示時間を用いて、複数の画像の個々に対する表示時間算出を行なっているが、その反対に、所定の画像に対して複数のメッセージを表示するとき、画像表示時間を用いて、複数のメッセージの個々に対する表示時間を算出する場合にも適用可能である。
【００６３】
【発明の効果】
以上説明したように、本発明によれば、２つの種類の情報を表示し、かつ少なくとも一方の種類の情報については複数の情報を逐次切り替えて表示する場合に、２つの種類の情報が同じ時間で終了するように自動的に時間算出することでユーザーが意識しなくても画面表示時間の設定が可能となる。また、切り替えて表示する情報の追加及び削除が行なわれても、再度、自動的に時間を算出することが出来る。
【図面の簡単な説明】
【図１】本発明の一実施形態に係るエレベータの情報表示システムの概略構成を示すブロック図。
【図２】本発明の一実施形態における表示情報入力装置の構成を示すブロック図。
【図３】本発明の一実施形態における情報表示装置の構成を示すブロック図。
【図４】本発明の一実施形態における表示器の画面構成例を示す図。
【図５】本発明の一実施形態におけるイベントデータのフォーマット及びその例を示す図。
【図６】本発明の一実施形態におけるメッセージ、及び画像ファイルの内容の例を示す図。
【図７】本発明の一実施形態における画面表示切り替えを説明するための図。
【図８】メッセージ表示時間と画像表示時間との関係を示す図。
【符号の説明】
１…監視室
２…表示情報入力装置
３…データ伝送線
４…機械室
５ａ、５ｂ…情報表示装置
６ａ、６ｂ…映像線
７…かご室内
８…ホール
９ａ、９ｂ…表示器
１０…イベント設定入力部
１１…イベントファイル部
１２…メッセージ入力部
１３…メッセージファイル部
１４…画像入力部
１５…画像ファイル部
１６…メッセージ取得部
１７…画像取得部
１８…表示データ確保部
１９…画像メッセージ同期時間算出部
２０…送信処理部
２１…受信部
２２…イベントファイル部
２３…メッセージファイル部
２４…画像ファイル部
２５…時計部
２６…イベント発生処理部
２７…表示画面加工処理部
２８…表示器信号出力部
２９…画像表示部
３０…画面
３１…メッセージ
３２…イベントａ１データ
３３…表示日時
３４…メッセージファイル番号
３５…メッセージ表示時間
３６…メッセージ表示アクション
３７…画像表示時間
３８…画像ファイル名（１）
３９…画像ファイル名（２）
４０…画像ファイル名（３）
４１…画像表示時間［２０秒］
４２…メッセージｂ１データ
４３…メッセージｂ１内容
４４…画像ｃ２データ
４５…画像ｃ２内容
４６…画像ｃ３データ
４７…画像ｃ３内容
４８…画像ｃ４データ
４９…画像ｃ４内容
５０…画面１枚目
５１…画面２枚目
５２…画面３枚目
【図１】
2004107036.tif 000003
【図２】
2004107036.tif 000004
【図３】
2004107036.tif 000005
【図４】
2004107036.tif 000006
【図５】
2004107036.tif 000007
【図６】
2004107036.tif 000008
【図７】
2004107036.tif 000009
【図８】
2004107036.tif 000010